(57)【要約】【課題】  サービス利用者に最もメリットのあるチラシデータを参照することができ、また、どのカテゴリへのアクセスが多いかを、閲覧することができ、サービス利用者の需要動向を掌握することができ、さらに、全国的な広告宣伝を安価かつ容易に実行することができる電子チラシ制御サーバ、電子チラシの制御方法、プログラムおよび記録媒体を提供することを目的とする。【解決手段】  契約広告主の電子チラシの中からサービス利用者が所望する電子チラシを選択するために用いる情報である選択用情報を、サービス利用者側の端末から取得する選択用情報取得手段と、選択用情報取得手段が取得した選択用情報に合致する複数の電子チラシを、契約広告主検索用データベースから検索する電子チラシ検索手段と、電子チラシ検索手段が検索した電子チラシを、サービス利用者側の端末に提示する電子チラシ提示手段とを有する電子チラシ制御サーバである。【選択図】  図１
2005032149.tif 000002
【特許請求の範囲】
【請求項１】
インターネットを介して、サービスの提供先であるサービス利用者側の端末と、サービスの提供者である契約広告主側の端末とに接続される電子チラシ制御サーバであって、
契約広告主検索用データベースと；
上記契約広告主の電子チラシの中から上記サービス利用者が所望する電子チラシを選択するために用いる情報である選択用情報を、上記サービス利用者側の端末から取得する選択用情報取得手段と；
上記選択用情報取得手段が取得した上記選択用情報に合致する複数の電子チラシを、契約広告主検索用データベースから検索する電子チラシ検索手段と；
上記電子チラシ検索手段が検索した電子チラシを、上記サービス利用者側の端末に提示する電子チラシ提示手段と；
を有することを特徴とする電子チラシ制御サーバ。
【請求項２】
請求項１において、
上記サービス利用者の利用履歴情報を保存する利用履歴情報保存手段と；
上記利用履歴情報保存手段が保存している利用履歴情報を、上記契約広告主側の端末に提示する利用履歴情報提示手段と；
を有することを特徴とする電子チラシ制御サーバ。
【請求項３】
請求項１において、
上記選択用情報は、郵便番号、商品名、カテゴリ、サービス利用者を起点とする広告主までの表示範囲の情報のうちの少なくとも１つであることを特徴とする電子チラシ制御サーバ。
【請求項４】
請求項１において、
上記契約広告主側の端末からの指示、または上記電子チラシ制御サーバからの指示によって、上記契約広告主の電子チラシを変更する電子チラシ変更手段を有することを特徴とする電子チラシ制御サーバ。
【請求項５】
請求項１において、
複数の上記電子チラシを、その対応する商品毎に、カテゴリ分けして格納していることを特徴とする電子チラシ制御サーバ。
【請求項６】
請求項１において、
上記サービス利用者側の端末から取得した情報に基づいて、上記サービス利用者の経緯度を検出する経緯度検出手段と；
上記検索された電子チラシに関する上記契約広告主の位置と、上記経緯度検出手段が検出した経緯度との直線距離が、上記サービス利用者の行動範囲内であるか否かを判断する判断手段と；
上記直線距離が当該サービス利用者の行動範囲内であれば、上記検出された電子チラシを当該サービス利用者側端末に送信する電子チラシ送信手段と；
を有することを特徴とする電子チラシ制御サーバ。
【請求項７】
請求項６において、
上記サービス利用者側の端末から取得した情報は、郵便番号であり、上記経緯度検出手段は、上記郵便番号に基づいて、上記サービス利用者の経緯度を検出する手段であることを特注とする電子チラシ制御サーバ。
【請求項８】
請求項２において、
上記利用履歴情報保存手段は、上記サービス利用者の利用履歴情報を、契約広告主毎に保存する手段であることを特徴とする電子チラシ制御サーバ。
【請求項９】
請求項１において、
上記サービス利用者が、契約広告主による電子チラシを見た後に、注文または問い合わせする場合、上記ＩＰ電話またはメールによる通信を受け付け、接続する受け付け、接続手段を有することを特徴とする電子チラシ制御サーバ。
【請求項１０】
インターネットを介して、サービスの提供先であるサービス利用者側の端末と、サービスの提供者である契約広告主側の端末とに接続される電子チラシ制御サーバの制御方法であって、
上記契約広告主の電子チラシの中から上記サービス利用者が所望する電子チラシを選択するために用いる情報である選択用情報を、上記サービス利用者側の端末から取得し、所定のメモリに記憶する選択用情報取得段階と；
上記選択用情報取得手段で取得した上記選択用情報に合致する複数の電子チラシを、契約広告主検索用データベースから検索する電子チラシ検索段階と；
上記電子チラシ検索段階で検索した電子チラシを、上記サービス利用者側の端末に提示する電子チラシ提示段階と；
を有することを特徴とする電子チラシ制御サーバの制御方法。
【請求項１１】
請求項１０において、
上記サービス利用者の利用履歴情報を、所定のメモリに保存する利用履歴情報保存段階と；
上記利用履歴情報保存段階で保存している利用履歴情報を、上記契約広告主に提示する利用履歴情報提示段階と；
を有することを特徴とする電子チラシ制御サーバの制御方法。
【請求項１２】
インターネットを介して、サービスの提供先であるサービス利用者側の端末と、サービスの提供者である契約広告主側の端末とに接続される電子チラシ制御サーバを制御する手順をコンピュータに実行させるプログラムであって、
上記契約広告主の電子チラシの中から上記サービス利用者が所望する電子チラシを選択するために用いる情報である選択用情報を、上記サービス利用者側の端末から取得し、所定のメモリに記憶する選択用情報取得手順と；
上記選択用情報取得手段で取得した上記選択用情報に合致する複数の電子チラシを、契約広告主検索用データベースから検索する電子チラシ検索手順と；
上記電子チラシ検索手順で検索した電子チラシを、上記サービス利用者側の端末に提示する電子チラシ提示手順と；
をコンピュータに実行させるプログラム。
【請求項１３】
請求項１２において、
上記サービス利用者の利用履歴情報を、所定のメモリに保存する利用履歴情報保存手順と；
上記利用履歴情報保存手順で保存している利用履歴情報を、上記契約広告主に提示する利用履歴情報提示手順と；
をコンピュータに実行させるプログラム。
【請求項１４】
インターネットを介して、サービスの提供先であるサービス利用者側の端末と、サービスの提供者である契約広告主側の端末とが接続される電子チラシ制御サーバを制御する手順をコンピュータに実行させるプログラムであって、
上記契約広告主の電子チラシの中から上記サービス利用者が所望する電子チラシを選択するために用いる情報である選択用情報を、上記サービス利用者側の端末から取得し、所定のメモリに記憶する選択用情報取得手順と；
上記選択用情報取得手段で取得した上記選択用情報に合致する複数の電子チラシを、契約広告主検索用データベースから検索する電子チラシ検索手順と；
上記電子チラシ検索手順で検索した電子チラシを、上記サービス利用者側の端末に提示する電子チラシ提示手順と；
をコンピュータに実行させるプログラムを記録したコンピュータ読取可能な記録媒体。
【請求項１５】
請求項１４において、
上記サービス利用者の利用履歴情報を、所定のメモリに保存する利用履歴情報保存手順と；
上記利用履歴情報保存手順で保存している利用履歴情報を、上記契約広告主に提示する利用履歴情報提示手順と；
をコンピュータに実行させるプログラムを記録したコンピュータ読取可能な記録媒体。
【発明の詳細な説明】
【技術分野】
【０００１】
本発明は、サービス利用者が所望する電子チラシを検索し、表示させる電子チラシ制御サーバ、電子チラシ制御サーバの制御方法、プログラムおよび記録媒体に関する。
【背景技術】
【０００２】
従来、新聞の折り込みチラシでは、多種多様な広告主からの提供によって、特売情報、求人情報等が、一方的に消費者に提供され、消費者は、当該チラシを見て、関連するチラシの有無を調べ、関連する広告が無い場合でも、メリットのある情報であるかどうかを、消費者が判断する。また、当該広告を見た時点で、消費者が目的地に移動する移動手段を考慮した上で、メリットがあるか否かを判断する（たとえば、特許文献１参照）。
【特許文献１】特開２００２−１６３２６７号公報
【発明の開示】
【発明が解決しようとする課題】
【０００３】
新聞チラシは、特定の広告主のみによるアピール内容が記載され、他広告主によるアピール内容とを比較することがができないので、メリットのある商品であるか否か、メリットのある求人チラシ等であるか否かを、消費者が適切に判断することができないという問題がある。
【０００４】
そして、広告主の店舗の場所、距離を掌握できないので、消費者が存在している場所から、広告主の店舗等までの移動時間を予測することができない。また、消費者が所望するエリア内における複数のチラシデータを参照することができないという問題がある。
【０００５】
一方、広告主にとっては、新聞の折り込みチラシを行うエリアを広げれば、比例して広告効果も上がるが、その反面、経費がかさむという問題がある。
【０００６】
本発明は、サービス利用者に最もメリットのあるチラシデータを参照することができ、また、どのカテゴリへのアクセスが多いかを、閲覧することができ、サービス利用者の需要動向を掌握することができ、さらに、全国的な広告宣伝を安価かつ容易に実行することができる電子チラシ制御サーバ、電子チラシ制御サーバの制御方法、プログラムおよび記録媒体を提供することを目的とする。
【課題を解決するための手段】
【０００７】
本発明は、インターネットを介して、サービスの提供先であるサービス利用者側の端末と、サービスの提供者である契約広告主側の端末とに接続される電子チラシ制御サーバであって、契約広告主検索用データベースと、上記契約広告主の電子チラシの中から上記サービス利用者が所望する電子チラシを選択するために用いる情報である選択用情報を、上記サービス利用者側の端末から取得する選択用情報取得手段と、上記選択用情報取得手段が取得した上記選択用情報に合致する複数の電子チラシを、契約広告主検索用データベースから検索する電子チラシ検索手段と、上記電子チラシ検索手段が検索した電子チラシを、上記サービス利用者側の端末に提示する電子チラシ提示手段とを有することを特徴とする電子チラシ制御サーバである。
【発明の効果】
【０００８】
本発明によれば、サービス利用者側の移動手段を考慮して検索範囲を指定することができ、また、複数の契約広告主のチラシデータの中から、サービス利用者に最もメリットのあるチラシデータを参照することができる。
【０００９】
一方、契約広告主から見ると、アクセス履歴情報中の郵便番号を参照することによって、アクセス地域を閲覧することができ、また、どのカテゴリへのアクセスが多いかを、閲覧することができるので、サービス利用者の需要動向を適確に掌握することができる。
【００１０】
さらに、契約広告主は、本サービス提供事業者との間におけるサービス使用料を支払うのみで、全国的な広告宣伝を実行することができ、無駄な広告料を支払う必要がなく、したがって、全国的な広告宣伝を安価かつ容易に実行することができる。
【発明を実施するための最良の形態】
【００１１】
発明を実施するための最良の形態は、以下の実施例である。
【実施例１】
【００１２】
図１は、本発明の実施例１である電子チラシ利用システム１００を示すブロック図である。
【００１３】
電子チラシ利用システム１００は、サービスの提供先であるサービス利用者側の端末Ｔｕと、サービスの提供者である契約広告主側の端末Ｔａとが、インターネットＮＷを介して、電子チラシ制御サーバＳＶ１に接続されるシステムである。
【００１４】
電子チラシ制御サーバＳＶ１は、接続手段１０と、受付手段２０と、サービス制御手段３０と、経緯度情報データベース４０と、契約広告主検索用データベース５０と、利用情報データベース６０とを有する。
【００１５】
接続手段１０は、サービス利用者側端末Ｔｕと、契約広告主検索用データベース５０と、契約広告主側端末Ｔａとを接続するための処理を行う。
【００１６】
受付手段２０は、サービス利用者からのアクセスと、契約広告主からのアクセスとを受け付け、サービス利用者を認証する手段である。
【００１７】
サービス制御手段３０は、インターネット通信網ＮＷを介して、サービス利用者側端末Ｔｕと、契約広告主側端末Ｔａとの間を接続し、各種の広告サービスを提供する処理を行うように制御する手段である。また、サービス制御手段３０は、メニュー選択手段３１と、監視手段３２と、検索手段３３と、表示手段３４と、データベース情報表示手段３５と、データベース情報更新手段３６とを有する。
【００１８】
メニュー選択手段３１は、サービスメニューを選択する手段であり、監視手段３２は、利用者履歴をピックアップするために監視する手段である。
【００１９】
検索手段３３は、受付手段２０が取得したデータやカテゴリに応じて、契約広告主検索用データベース５０に格納されている多数の契約広告主から所望の契約広告主を絞り込み、また、サービス利用者の郵便番号に基づいて、経緯度情報データベース４０に格納されている経緯度情報を検索する手段である。
【００２０】
表示手段３４は、メニュー内容、絞り込んだ電子チラシ等を表示する手段である。
【００２１】
データベース情報表示手段３５は、データベース４０、５０、６０に格納されている情報を表示する手段である。
【００２２】
データベース情報更新手段３６は、データベース４０、５０、６０に格納されている情報を更新する手段である。
【００２３】
経緯度情報データベース４０は、サービス利用者から取得した全国の郵便番号に対応する経緯度情報を格納しているデータベースである。
【００２４】
契約広告主検索用データベース５０は、契約広告主の電子チラシ（チラシデータ）を格納しているデータベースである。
【００２５】
利用情報データベース６０は、サービス利用者がアクセスしたサービスアクセス履歴情報（利用履歴情報）を格納しているデータベースである。なお、利用情報データベース６０は、統計処理済みのサービスアクセス履歴情報をも格納している。
【００２６】
接続手段１０、受付手段２０、サービス制御手段３０は、具体的には、コンピュータプログラムで実現されるものであり、このコンピュータプログラムは、半導体メモリ等の記録媒体に格納されている。
【００２７】
次に、上記実施例の動作について説明する。
【００２８】
図２は、上記実施例における動作を示すフローチャートである。
【００２９】
図３は、上記実施例において、サービス利用者が契約広告主であると判断された後における動作を示すフローチャートである。
【００３０】
電子チラシ制御サーバＳＶ１は、まず、インターネットＮＷを介して、サービス利用者側端末Ｔｕに表示メニューを送信し、この表示メニューを使用してサービス利用者が行なうアクセスを受け付け（Ｓ１）、サービス利用者が、一般のサービス利用者であるか、または契約広告主であるかを判定する（Ｓ２）。一般のサービス利用者であれば、そのサービス利用者が入力した選択用情報（カテゴリ、経緯度等の情報）に基づいて、契約広告主の電子チラシ（チラシデータ）を検索する（Ｓ３）。
【００３１】
なお、上記「選択用情報」は、たとえば、カテゴリ、経緯度情報（郵便番号）の他に、商品名、サービス利用者を起点とする広告主までの表示範囲（ｋｍ）（行動範囲）を示す情報である。
【００３２】
図４は、上記実施例において、カテゴリに基づいて、検索データを絞り込む方法を説明する図である。
【００３３】
図５は、上記実施例において、経緯度に基づいて、検索データを絞り込む方法を説明する図である。
【００３４】
図６は、上記実施例の具体的な利用例を示す図である。
【００３５】
検索データ（電子チラシ）を絞り込む場合、図４に示すカテゴリによる方法と、図５に示す経緯度による方法とがあり、順次処理する。
【００３６】
続いて、ステップＳ３で絞り込んだ（抽出された）広告データを提示する（Ｓ４）。すなわち、サービス利用者の行動範囲内の電子チラシを提示する（Ｓ４）。つまり、たとえば、サービス利用者が徒歩で行動すれば、徒歩による行動範囲の電子チラシを提示し、サービス利用者が自転車を利用すれば、自転車によって行動する範囲の電子チラシを提示する（Ｓ４）。
【００３７】
続いて、ステップＳ４で提示されている電子チラシの中から、利用者が所望する電子チラシを選択する（Ｓ５）。
【００３８】
続いて、ステップＳ５で選択された電子チラシを、表示手段３４に提示し（Ｓ６）、ステップＳ６で特定の広告データを提示した履歴として、サービス利用者の郵便番号と選択されたカテゴリとアクセス日時とを、契約広告主毎に、履歴データとして保存する（Ｓ７）。
【００３９】
続いて、表示メニューによって、サービス利用者が所望するＩＰ電話またはメールによる通信を受け付け、接続し、ＩＰ電話による通信であれば（Ｓ８）、終話を監視し、この終話が検出されれば、切断制御を行う（Ｓ９）。なお、サービス利用者が所望するＩＰ電話またはメールによる通信を受け付け、接続する処理を、電子チラシ制御サーバＳＶ１における接続手段１０、受け付け手段２０が実行し、ＩＰ電話であれば、図示しない送受話器で応対し、メールであれば、サービス利用者が入力したメールの内容が、表示手段３４に表示される。
【００４０】
つまり、上記実施例は、サービス利用者が、契約広告主による電子チラシを見た後に、注文または問い合わせする場合、ＩＰ電話またはメールによって注文、問い合わせを行ない、このＩＰ電話またはメールによる通信を受け付け、接続する受け付け、接続手段を有する。
【００４１】
一方、サービス利用者が契約広告主であると判定された場合（Ｓ２）、図３に示すように、契約広告主を受け付け（Ｓ１１）、付加サービス契約の有無と、利用するサービスとを判断した後に、電子チラシの設定を変更する（Ｓ３）。
【００４２】
上記「設定または変更が可能なデータ」は、商品名、価格、電話番号、メールアドレス、地図、郵便番号であり、経緯度として、郵便番号が設定または変更されると、サービス制御手段３０を経由し、経緯度情報データベース４０をアクセスし、該当する経緯度データを取得する。
【００４３】
続いて、ステップＳ３で設定または変更した電子チラシの確認を促し（Ｓ４）、設定誤りがあれば（Ｓ１４）、電子チラシの設定または変更手続きを、再度、促す（Ｓ３）。
【００４４】
つまり、電子チラシ制御サーバＳＶ１において、サービス利用者が所望する選択用情報を取得すると、この取得した選択用情報に合致する複数の契約広告主の電子チラシを検索し、上記サービス利用者側端末Ｔｕに提示する。
【００４５】
ここで、通常は、消費者がサービス利用者である。ただし、サービス利用者が高齢者であれば、その高齢者の子供がサービス利用者になり、この場合には、サービス利用者と消費者とが互いに異なる。
【００４６】
複数の契約広告主による電子チラシ（広告データ）の中から、最終的に選択された電子チラシを検出する。したがって、電子チラシ制御サーバＳＶ１は、上記最終的に選択された電子チラシを受け取ると、サービス利用者が選択した電子チラシを、サービス利用者に提示するための処理を実行する。
【００４７】
上記実施例によれば、サービス利用者側の所望する商品を、契約広告主の電子チラシに基づいて、簡単に選択することができる。
【００４８】
一方、契約広告主からすれば、アクセス履歴情報を参照することによって、郵便番号に基づくアクセス地域を閲覧することができ、また、アクセスが多いカテゴリを閲覧することができるので、サービス利用者の需要動向を適確に掌握することができる。
【００４９】
さらに、契約広告主は、サービス提供事業者との間におけるサービス使用料のみを支払えば、全国的な広告宣伝を実行することができ、したがって、過剰なチラシ料を支払う必要がなく、安価かつ容易に、全国的な広告宣伝を行うことができる。
【００５０】
なお、上記実施例は、インターネットを介して、サービスの提供先であるサービス利用者側の端末と、サービスの提供者である契約広告主側の端末とに接続される電子チラシ制御サーバであって、契約広告主検索用データベースと、上記契約広告主の電子チラシの中から上記サービス利用者が所望する電子チラシを選択するために用いる情報である選択用情報を、上記サービス利用者側の端末から取得する選択用情報取得手段と、上記選択用情報取得手段が取得した上記選択用情報に合致する複数の電子チラシを、契約広告主検索用データベースから検索する電子チラシ検索手段と、上記電子チラシ検索手段が検索した電子チラシを、上記サービス利用者側の端末に提示する電子チラシ提示手段とを有する電子チラシ制御サーバの例である。
【００５１】
この場合、上記サービス利用者の利用履歴情報を保存する利用履歴情報保存手段と、上記利用履歴情報保存手段が保存している利用履歴情報を、上記契約広告主側端末に提示する利用履歴情報提示手段とを有するようにしてもよい。
【００５２】
また、上記選択用情報は、郵便番号、商品名、カテゴリ、サービス利用者を起点とする広告主までの表示範囲の情報のうちの少なくとも１つである。
【００５３】
さらに、上記契約広告主側の端末からの指示、または上記電子チラシ制御サーバからの指示によって、上記契約広告主の電子チラシを変更する電子チラシ変更手段を有するようにしてもよい。
【００５４】
そして、複数の上記電子チラシを、その対応する商品毎に、カテゴリ分けして格納するようにしてもよい。
【００５５】
また、上記サービス利用者側の端末から取得した情報に基づいて、上記サービス利用者の経緯度を検出する経緯度検出手段と、上記検索された電子チラシに関する上記契約広告主の位置と、上記経緯度検出手段が検出した経緯度との直線距離が、上記サービス利用者の行動範囲内であるか否かを判断する判断手段と、上記直線距離が当該サービス利用者の行動範囲内であれば、上記検出された電子チラシを当該サービス利用者側端末に送信する電子チラシ送信手段とを有するようにしてもよい。
【００５６】
この場合、上記サービス利用者側の端末から取得した情報は、郵便番号であり、上記経緯度検出手段は、上記郵便番号に基づいて、上記サービス利用者の経緯度を検出する手段であり、また、上記利用履歴情報保存手段は、上記サービス利用者の利用履歴情報を、契約広告主毎に保存する手段である。
【００５７】
さらに、上記実施例を方法の発明として把握することができる。つまり、上記実施例は、インターネットを介して、サービスの提供先であるサービス利用者側の端末と、サービスの提供者である契約広告主側の端末とに接続される電子チラシ制御サーバの制御方法であって、上記契約広告主の電子チラシの中から上記サービス利用者が所望する電子チラシを選択するために用いる情報である選択用情報を、上記サービス利用者側の端末から取得し、所定のメモリに記憶する選択用情報取得段階と、上記選択用情報取得手段で取得した上記選択用情報に合致する複数の電子チラシを、契約広告主検索用データベースから検索する電子チラシ検索段階と、上記電子チラシ検索段階で検索した電子チラシを、上記サービス利用者側の端末に提示する電子チラシ提示段階とを有する電子チラシ制御サーバの制御方法の例である。
【００５８】
この場合、上記サービス利用者の利用履歴情報を、所定のメモリに保存する利用履歴情報保存段階と、上記利用履歴情報保存段階で保存している利用履歴情報を、上記契約広告主に提示する利用履歴情報提示段階とを有するようにしてもよい。
【００５９】
また、上記実施例を、プログラムの発明として把握することができる。つまり、上記実施例は、インターネットを介して、サービスの提供先であるサービス利用者側の端末と、サービスの提供者である契約広告主側の端末とに接続される電子チラシ制御サーバを制御する手順をコンピュータに実行させるプログラムであって、上記契約広告主の電子チラシの中から上記サービス利用者が所望する電子チラシを選択するために用いる情報である選択用情報を、上記サービス利用者側の端末から取得し、所定のメモリに記憶する選択用情報取得手順と、上記選択用情報取得手段で取得した上記選択用情報に合致する複数の電子チラシを、契約広告主検索用データベースから検索する電子チラシ検索手順と、上記電子チラシ検索手順で検索した電子チラシを、上記サービス利用者側の端末に提示する電子チラシ提示手順とをコンピュータに実行させるプログラムの例である。
【００６０】
この場合、上記サービス利用者の利用履歴情報を、所定のメモリに保存する利用履歴情報保存手順と、上記利用履歴情報保存手順で保存している利用履歴情報を、上記契約広告主に提示する利用履歴情報提示手順とをコンピュータに実行させるようにしてもよい。
【００６１】
また、上記プログラムを、ＦＤ、ＣＤ、ＤＶＤ、ＨＤ、半導体メモリ等の記録媒体に記録するようにしてもよい。
【産業上の利用可能性】
【００６２】
本発明は、サービス利用者側の移動手段を考慮して検索範囲を指定することができ、また、複数の契約広告主のチラシデータの中から、サービス利用者に最もメリットのあるチラシデータを参照することができる。一方、契約広告主から見ると、アクセス履歴情報中の郵便番号を参照することによって、アクセス地域を閲覧することができ、また、どのカテゴリへのアクセスが多いかを、閲覧することができるので、サービス利用者の需要動向を適確に掌握することができる。
【００６３】
この場合、契約広告主は、本サービス提供事業者との間におけるサービス使用料を支払うのみで、全国的な広告宣伝を実行することができ、無駄な広告料を支払う必要がなく、したがって、全国的な広告宣伝を安価かつ容易に実行することができる。
【図面の簡単な説明】
【００６４】
【図１】図１は、本発明の実施例１である電子チラシ利用システム１００を示すブロック図である。
【図２】上記実施例における動作を示すフローチャートである。
【図３】上記実施例において、サービス利用者が契約広告主であると判断された後における動作を示すフローチャートである。
【図４】上記実施例において、カテゴリに基づいて、検索データを絞り込む方法を説明する図である。
【図５】上記実施例において、経緯度に基づいて、検索データを絞り込む方法を説明する図である。
【図６】上記実施例の具体的な利用例を示す図である。
【符号の説明】
【００６５】
１００…電子チラシ利用システム、
Ｔｕ…サービス利用者側端末、
Ｔａ…契約広告主側端末、
ＳＶ１…電子チラシ制御サーバ、
１０…接続手段、
２０…受付手段、
３０…サービス制御手段、
３１…メニュー選択手段、
３２…監視手段、
３３…検索手段、
３４…表示手段、
３５…データベース情報表示手段、
３６…データベース情報変更手段、
４０…経緯度情報データベース、
５０…契約広告主検索用データベース、
６０…利用情報データベース。
【図１】
2005032149.tif 000003
【図２】
2005032149.tif 000004
【図３】
2005032149.tif 000005
【図４】
2005032149.tif 000006
【図５】
2005032149.tif 000007
【図６】
2005032149.tif 000008